(57)【特許請求の範囲】
【請求項１】
植付部の左右両側に線引きを行うサイドマーカ９８を、苗載台１６の最外側部をガードするサイドバンパ１０８に、昇降回動可能に支持して張出・収納可能に設けるとともに、左右両側の分割苗載台を中央側に折り畳み収納可能に構成した田植機において、前記サイドマーカ９８を収納位置で係止するサイドマーカ収納フック１２４のフック基部１３４を、左右回動及び前後回動可能に構成し、
該サイドマーカ収納フック１２４を弾性体により構成し、更に、前記サイドバンパ１０８に設けた回動支点軸１１７に、支持杆１１５を枢支連結し、該支持杆１１５の先端に回動軸１１９を介して、該サイドマーカ９８の基端のマーカ取付板１１８を枢支連結し、
該取付板１１８のサイドマーカ９８と反対方向に回動アーム１２０を固設し、該回動アーム１２０の先端と、前記サイドバンパ１０８に設けた回動支点軸１１７より内側に固定した固定片１２１との間に、マーカ屈折リンク１２２を介装し、該屈折リンク１２２を弾性体により構成したことを特徴とする田植機のサイドマーカ。
【発明の詳細な説明】
【０００１】
【発明の属する技術分野】
本発明は、田植機の植付部の側部に装着されて、圃場に線引きを行うサイドマーカの構成に関する。
【０００２】
【従来の技術】
従来、４条や５条の乗用型の田植機において、サイドマーカは１本の棒体の先端に線引き用のヘラ状のプレートを設けていたが、８条や１０条等の多条の田植機になると、機体幅が広くなるので、その広さに従って線引きマーカも長くする必要があるが、余り長くなると持ち上げる力を大きくする必要があり、収納時には上方に突出して邪魔となるので、中途部で折り曲げられるようにしている。
この折り曲げ可能な線引きマーカを伸長したり折り曲げ収納が容易にできるように、屈折リンクが線引きマーカに並設されている。
また、サイドマーカーを収納状態に係止しておくために、苗載台にフックが設けられ、該フックの基部は取付板に枢支され、回動可能に設けられていた。
【０００３】
【発明が解決しようとする課題】
しかし、この屈折リンクやサイドマーカーを収納状態に係止しておくフックは手荒な扱いを行った場合、永久変形してしまい、該フックにより係止されたサイドマーカマーカの屈折リンクが変形し、サイドマーカの可動範囲が変化し、走行車に対するサイドマーカの位置や、土中への挿入量も変化して、圃場端で回行して次の条の目標となる線がズレたり、明瞭に表れないことがあったのである。
【０００４】
【課題を解決するための手段】
本発明が解決しようとする課題は以上の如くであり、次に該課題を解決するための手段を説明する。
植付部の左右両側に線引きを行うサイドマーカ９８を、苗載台１６の最外側部をガードするサイドバンパ１０８に、昇降回動可能に支持して張出・収納可能に設けるとともに、左右両側の分割苗載台を中央側に折り畳み収納可能に構成した田植機において、前記サイドマーカ９８を収納位置で係止するサイドマーカ収納フック１２４のフック基部１３４を、左右回動及び前後回動可能に構成し、該サイドマーカ収納フック１２４を弾性体により構成し、更に、前記サイドバンパ１０８に設けた回動支点軸１１７に、支持杆１１５を枢支連結し、該支持杆１１５の先端に回動軸１１９を介して、該サイドマーカ９８の基端のマーカ取付板１１８を枢支連結し、該取付板１１８のサイドマーカ９８と反対方向に回動アーム１２０を固設し、該回動アーム１２０の先端と、前記サイドバンパ１０８に設けた回動支点軸１１７より内側に固定した固定片１２１との間に、マーカ屈折リンク１２２を介装し、該屈折リンク１２２を弾性体により構成したものである。
【０００５】
【発明の実施の形態】
次に本発明の実施の形態を添付の図面により説明する。
図１は田植機の側面図、図２は田植機の平面図であり、図３は支持柱とサイドバンパ及びサイドマーカを張出伸長した状態の正面図である。図４はサイドマーカの可動範囲を示す正面図である。図５はサイドマーカ収納用のストッパを示す正面図であり、図６はサイドマーカ収納用のストッパを示すＸ−Ｘ断面図である。図７はサイドマーカ展開用のストッパを示す正面図であり、図８はサイドマーカ展開時に支持杆がストッパに当接した状態を示すＹ−Ｙ断面図である。図９はサイドバンパを折り畳んだ状態を示す側面図である。図１０はサイドマーカ収納フックを示す側面図である。
【０００６】
図１および図２において、１０条用田植機の全体構成から説明する。
１は作業者が搭乗する走行車であり、エンジン２を車体フレーム３前部上方に搭載させ、ミッションケース４前方にフロントアクスルケース５を介して走行用前輪６を支持させると共に、前記ミッションケース４の後部にリヤアクスルケース７を連設し  前記リヤアクスルケース７に走行用後輪８を支持させる。そして、前記エンジン２等を覆うボンネット９両側に予備苗載台１０を取付けると共に、ステップ１１を介して作業者が搭乗する車体カバー１２によって前記ミッションケース４等を覆い、前記車体カバー１２上部に運転席１３を取付け、その運転席１３の前方で前記ボンネット９後部に操向ハンドル１４を設ける。
【０００７】
また、図中１５は１０条植え用の苗載台１６並びに複数の植付爪１７などを具備する植付部であり、前高後低の合成樹脂製の前傾式苗載台１６を下部レール１８及びガイドレール１９を介して植付ケース２０に左右往復摺動自在に支持させると共に、一方向に等速回転させるロータリケース２１を前記植付ケース２０に支持させ、該ケース２１の回転軸芯を中心に対称位置に一対の爪ケース２２・２２を配設し、その爪ケース２２・２２先端に植付爪１７・１７を取付ける。
また、前記植付ケース２０の前側にトップリンク２５及びロワーリンク２６を含むリンク機構２７を介して走行車１後側に支持フレーム２４を連結させ、前記リンク機構２７を介して植付部１５を昇降させる昇降シリンダ２８をロワーリンク２６に連結させ、前記前後輪６・８を走行駆動して移動すると同時に、左右に往復摺動させる苗載台１６から一株分の苗を植付爪１７によって取出し、連続的に苗植え作業を行うように構成する。また、３６は１０条用の側条施肥部である。
【０００８】
前記苗載台１６及び植付ケース２０など植付部１５の左右外側の２条分を機体内側に折畳み自在に設けるもので、前記苗載台１６は左右最外側の２条分の苗載台１６を分割して折畳み自在な分割苗載台１６ｂに形成し、機体中央の６条用苗載台本体１６ａに並行折畳み機構３７を介して分割苗載台１６ｂを連結させて、苗載台本体１６ａの作用面上方に略平行で、且つ、２段に分割苗載台１６ｂを折畳みするように設けて、折畳み時苗載台１６の左右全幅を略６条分巾と等しくするように構成している。
【０００９】
図２〜図４に示す如く、前記苗載台１６の最外側部をガードするサイドバンパ１０８に左右サイドマーカ９８を折り畳み・張出伸長自在に設けるもので、植付ケース２０を連結して、植付駆動軸を収納する伝動パイプ１０９上に基端フレーム１１２が固設され、該基端フレーム１１２上に支柱１１１が立設され、該支柱１１１上端部に上部苗台支持シュー１１０が配設されている。前記基端フレーム１１２の外側端に回動支点軸１１３および位置規制ピン１１４を介してサイドバンパ１０８の基部が折り畳み可能に連結されている。苗載台１６を折り畳んで該サイドバンパ１０８を収納する場合には、位置規制ピン１１４を外し、後方に回動して、位置規制ピン１１４を挿入して固定し、後述する支持杆１１５の上部が前記苗載台１６の両側面で掛止される。
【００１０】
そして、前記サイドバンパ１０８の先端側にマーカ本体部である支持杆１１５を介してサイドマーカ９８を折り畳み自在に連結させるもので、該支持杆１１５の基端の起伏板１１６は回動支点軸１１７を介して回動自在にサイドバンパ１０８に連結されている。該起伏板１１６の支持杆１１５側にはワイヤー１３５が連結されて前記植付部の昇降リンク機構と接続され、植付部の上昇時にサイドマーカ９８を収納するように引っ張り、一方、起伏板１１６の反対側端とサイドバンパ１０８の間にはバネ１３６が介装されて、サイドマーカ９８を張り出す方向に付勢している。
【００１１】
また、サイドマーカ９８の基端のマーカ取付板１１８は回動軸１１９を介し回動自在に前記支持杆１１５の先端に連結されている。前記取付板１１８にサイドマーカ９８と反対方向に固設した回動アーム１２０の先端と、前記サイドバンパ１０８に設けた回動支点軸１１７より内側に固定した固定片１２１との間に、マーカ屈折手段であるマーカ屈折リンク１２２を介装している。
【００１２】
該屈折リンク１２２の上部取付点と回動軸１１９の距離より、リンク１２２の下部取付点と支点軸１１７の距離より大に形成して、支持杆１１５の起立動作時にはサイドマーカ９８を支持杆１１５の起立方向とは逆方向に、また支持杆１１５の回転角度よりサイドマーカ９８の回動角度が大きくなるようにしている。
よって、収納時にはサイドマーカ９８の先端部が外側方に大きく突出することがなく機体幅内に収納でき、サイドマーカ９８は収納時に外側に張り出すことがないので、旋回時および後進時に該サイドマーカ９８が障害物を引っかけることがなく、障害物に接触し破損する可能性も減少し、破損部品の取り替えによるランニングコストが軽減され、経済的であり、作業者の注意を作業に集中可能にするため、作業者の負担を軽減可能であり、安全な作業を行うことが可能である。
なお、前記支柱１１１上端の取付板１２３に、後述する収納状態の支持杆１１５を係合保持させるマーカ収納フック１２４を設けている。
【００１３】
前記サイドマーカ９８を収納、張出させる前記屈折リンク１２２は、弾性体により構成され、該屈折リンク１２２が曲げられて伸びようとする力が常に働くように構成している。
従って、収納時にはサイドマーカ９８を下方へ回動するように付勢して、振動や慣性力等で外方向へ張り出すことがないようにしており、また、サイドマーカ９８を張り出したときには、屈折リンク１２２の弾性により伸びようとする力が与えられて、サイドマーカ９８先端を常に土中内へ突っ込むように付勢して、サイドマーカ９８が浮き上がったり、圃場の凹凸や塊等に当たって飛び跳ねたりして、線が消えることを防止して、確実に線が引けるようにしている。
【００１４】
また、図５〜図８に示すように、前記取付板１１８にはサイドマーカ９８と支持杆１１５の収納時および張出時の角度を規制するためのストッパ１３０・１３１が取付板１１８および支持杆１１５に設けられている。
【００１５】
該ストッパ１３０は、図５、図６に示すように、取付板１１８のに溶接固定されており、サイドマーカ９８を収納した際に、該ストッパ１３０が支持杆１１５に当接し、内側に必要以上回動しないように規制している。つまり、回動アーム１２０と屈折リンク１２２の枢支点が回動軸１１９を中心として支持杆１１５の延長上を越える（死点越え）とならないようにストッパ１３０で規制して、サイドマーカ９８が張り出す時にに逆方向へ回動しないようにしている。更に、収納時に屈折リンク１２２がサイドマーカ９８により必要以上に引っ張られることがなく、このため、回動アーム１２０と屈折リンク１２２の接合部および固定片１２１と該屈折リンク１２２の連結部に不要に負荷が掛からないので連結部の磨耗を減少させることが可能であり、経済的である。また、収納時に必要以上にサイドマーカ９８が内側に回動し、前記苗載台１６に接触しないように構成されており、サイドマーカ９８を収納し、移動および旋回を行う場合に、サイドマーカ９８を気にすることなく行える為、作業者の負担を軽減することが可能である。
【００１６】
また、ストッパ１３１は図７、図８に示すように、支持杆１１５の外側端上面に溶接固定されており、前記サイドマーカ９８を張り出した場合に、ストッパ１３１が前記取付板１１８に当接し、該サイドマーカ９８が必要以上に回動することを規制している。このため、サイドマーカ９８は張出時に圃場面の凸部に当たったり、土塊に当たって必要以上に上方へ回動されることがない。
これにより、サイドマーカ９８により、安定した圃場へのマーキングが可能である。このように構成したためサイドマーカ９８の張出時および収納時の可動範囲が規制される。なお、上記のように構成しているため前記屈折リンクを弾性体により構成した場合においても、サイドマーカ９８の回動範囲を規制可能である。
【００１７】
また、図９および図１０に示すように、前記取付板１２３は支持柱１１１上端に固設されており、該取付板１２３に前記フック基部１３４をボルトよりなる枢支軸１３３により回動自在に支持し、更に、該枢支軸１３３にはバネ１３２を外嵌して、該バネ１３２の一端は取付板１２３に、他端はフック基部１３４に係止して、該フック基部１３４をバネ１３２により上方に回動向くように付勢されている。そして、該フック基部１３４は枢支軸１３３に対して緩嵌合されており、フック基部１３４が前後方向の傾動を可能に構成されている。また、該フック基部１３４の先端には弾性体により構成されたマーカ収納フック１２４が固設され、該マーカ収納フック１２４は弾性変形による屈曲を可能としている。
【００１８】
このように構成することによって、サイドバンパ１０８を側方に張り出した作業位置においては、サイドマーカ９８を収納位置としたときに、図３に示すように、マーカ収納フック１２４を枢支軸１３３を中心に側方へ回動するだけで屈折リンク１２２を係合して保持することができる。そして、サイドバンパ１０８を後方に回動し、苗載台１６を折り畳んだ状態においては、図１０に示すように、屈折リンク１２２は後方に位置しているので、前記フック基部１３４を後方に傾動させて、マーカ収納フック１２４を屈折リンク１２２に係合させることができるのである。更に、サイドバンパ１０８を側方に張り出した作業位置において、マーカ収納フック１２４を屈折リンク１２２に係合して保持した状態のまま、サイドバンパ１０８を後方に回動することが可能である。
このように、マーカ収納フック１２４は前後左右に回動できるため、屈折リンク１２２およびフック基部１３４、取付板１２３の各部に無理な負担をかけることがないのである。
【００１９】
【発明の効果】
本発明は以上の如く構成したので、次のような効果を奏するのである。
即ち、線引きを行うサイドマーカを収納位置で係止するサイドマーカ収納フックのフック基部を、左右回動及び前後回動可能に構成したので、作業状態でサイドマーカを収納した位置で保持するときには、左右方向へ回動するだけで、マーカ収納フックでサイドマーカを係合保持することができる。
また、分割苗載台を折り畳んで、サイドマーカー基部も折り畳んだ状態とした時にはマーカ収納フックを後方に回動すれば、容易にサイドマーカーを係合保持することができ、収納位置でも張出位置でも、フック基部やリンク等の各部に無理な負担をかけることがなく、このため、各部品の負荷が減少し、金属疲労を生じる度合いが減少し、部品の使用可能期間を長くすることが可能であり、経済的である。
【００２０】
また、フック基部の枢支軸上に弾性部材を外嵌し、該弾性部材によりフック基部を枢支軸心方向に付勢したので、フック基部の前後動を許容でき、しかも、弾性部材で付勢しているので、マーカーを収納時には常にサイドマーカを引っ張った状態にでき、係止した状態で振動や衝撃等が発生しても外れることがなく、また、振動等で騒音が発生するようなこともないのである。
【００２１】
また、サイドマーカ収納フックを弾性体により構成したので、変形させても元の形状に復元するため、サイドバンパ１０８を後方に回動した後に、該マーカ収納フック１２４で屈折リンク１２２を係合保持する場合に、該マーカ収納フック１２４を後方へ屈曲し、前記屈折リンク１２２を係合保持することが可能である。また、永久変形しにくい為、交換の必要性が減少し、ランニングコストが軽減するため経済的である。
【００２２】
また、サイドマーカを中途部で屈折可能とし、該サイドマーカの収納時に屈折させるようにした田植機において、サイドマーカの張出・収納時に、屈折、伸長駆動する屈折リンクを弾性体により構成したので、サイドマーカの収納時には、内側へ回動するように付勢できてサイドバンパよりも内側に収納可能となった。また、サイドマーカを張出・伸長した場合には、前記屈折リンクがサイドマーカを下方回動する方向に付勢するため、サイドマーカを圃場の土中へ確実に突っ込むことが可能である。
また、固い圃場においてサイドマーカが突き上げられた場合においても屈折リンクが弾性変形し、サイドマーカが破損する可能性が少なく、常に下方へ付勢しているので、跳ね上がって線が切れたりすることもない。また、サイドマーカ収納フックにより該屈折リンクを変形させ係合保持しても、永久変形しないため、サイドマーカの土中への挿入量が変化しないように構成可能である。また、永久変形しにくい為、交換の必要性が減少し、ランニングコストが軽減するため経済的である。
【図面の簡単な説明】
【図１】田植機の側面図である。
【図２】田植機の平面図である。
【図３】支持柱とサイドバンパ及びサイドマーカを張出伸長した状態の正面図である。
【図４】サイドマーカの可動範囲を示す正面図である。
【図５】サイドマーカ収納用のストッパを示す正面図である。
【図６】サイドマーカ収納用のストッパを示すＸ−Ｘ断面図である。
【図７】サイドマーカ展開用のストッパを示す正面図である。
【図８】サイドマーカ展開時に支持杆がストッパに当接した状態を示すＹ−Ｙ断面図である。
【図９】サイドバンパを折り畳んだ状態を示す側面図である。
【図１０】サイドマーカ収納フックを示す側面図である。
【符号の説明】
１５  植付部
９８  サイドマーカ
１０８  サイドバンパ
１１１  支持柱
１１５  支持杆
１１８  取付板
１１９  回動軸
１２０  回動アーム
１２１  固定片
１２２  屈折リンク
１２３  取付板
１２４  マーカ収納フック
１３０・１３１  ストッパ
１３２  バネ
１３３  枢支軸
１３４  フック基部
【図１】
0003607938.tif 000002
【図２】
0003607938.tif 000003
【図３】
0003607938.tif 000004
【図４】
0003607938.tif 000005
【図５】
0003607938.tif 000006
【図６】
0003607938.tif 000007
【図７】
0003607938.tif 000008
【図８】
0003607938.tif 000009
【図９】
0003607938.tif 000010
【図１０】
0003607938.tif 000011